(57)【要約】【課題】生成容器内において生成され、容器の開口から流出した二酸化塩素ガスが拡散されない場合であっても、二酸化塩素ガスによる腐食の影響を抑制することのできる技術を提供することを課題とする。【解決手段】本発明は、上部が開口し、二酸化塩素ガスが生成される生成容器と、生成容器を加熱する加熱装置と、上面に孔を有し、加熱装置を収容する筐体と、筐体の外側の下面に設けられ、加熱装置の動作設定のために操作される操作部材と、を備え、生成容器は、筐体の上面に設けられる孔に通された状態で筐体に固定される、二酸化塩素ガス発生装置である。【選択図】図１
2019178017.tif 000002
【特許請求の範囲】
【請求項１】
上部が開口し、二酸化塩素ガスが生成される生成容器と、
前記生成容器を加熱する加熱装置と、
上面に孔を有し、前記加熱装置を収容する筐体と、
前記筐体の外側の下面に設けられ、前記加熱装置の動作設定のために操作される操作部材と、を備え、
前記生成容器は、前記筐体の上面に設けられる孔に通された状態で前記筐体に固定される、
二酸化塩素ガス発生装置。
【請求項２】
前記生成容器は、前記生成容器の下部が前記孔へ差し込まれることによって前記筐体に固定される、
請求項１に記載の二酸化塩素ガス発生装置。
【請求項３】
前記二酸化塩素ガス発生装置の高さは、２５０ｍｍ以下である、
請求項１又は２に記載の二酸化塩素ガス発生装置。
【請求項４】
前記生成容器の前記開口のさらに上部に着脱可能なファンフィルタユニットを備える、
請求項１から３のうち何れか１項に記載の二酸化塩素ガス発生装置。
【請求項５】
前記生成容器が前記筐体の上面に設けられる孔に通され、前記筐体に固定された状態において、前記生成容器と前記筐体の上面に設けられる孔との隙間は、２ｍｍ以下である、
請求項１から４のうち何れか１項に記載の二酸化塩素ガス発生装置。
【請求項６】
前記操作部材は、前記加熱装置の停止まで時間を計測し、前記加熱装置の停止までの時間が経過した場合に、前記加熱装置を停止させるタイマーを備える、
請求項１から５のうち何れか１項に記載の二酸化塩素ガス発生装置。
【請求項７】
前記操作部材は、前記加熱装置の起動までの時間を計測し、前記加熱装置の起動までの時間が経過した場合に、前記加熱装置を起動させるタイマーをさらに備える、
請求項６に記載の二酸化塩素ガス発生装置。
【請求項８】
前記筐体の内部に気密された空間をさらに備える、
請求項１から７のうち何れか１項に記載の二酸化塩素ガス発生装置。
【請求項９】
前記筐体の上面を含む部分は、蓋である、
請求項１から８のうち何れか１項に記載の二酸化塩素ガス発生装置。
【請求項１０】
上部が開口した生成容器において二酸化塩素ガスが生成される生成ステップと、
加熱装置が前記生成容器を加熱する加熱ステップと、
上面に孔を有し、前記加熱装置を収容する筐体の外側の下面に設けられる操作部材が、前記加熱装置の動作設定のために操作される操作ステップと、を備え、
前記生成容器は、前記筐体の上面に設けられる孔に通された状態で前記筐体に固定される、
二酸化塩素ガス発生方法。
【発明の詳細な説明】
【技術分野】
【０００１】
本発明は、二酸化塩素ガス発生装置及び二酸化塩素ガス発生方法に関する。
【背景技術】
【０００２】
系外の空間と遮断された遮断空間を有する所定のキャビネットがある。当該遮断空間では、細菌やウイルスといった病原体を扱う実験が行われる。また、実験後、当該遮断空間は病原体によって汚染されているため、例えば二酸化塩素ガスによる除染が行われる。二酸化塩素ガスは、例えば特許文献１−２に開示される二酸化塩素ガス発生装置を使用して発生させられる。また、特許文献１では、亜塩素酸溶液及び酸性液を上部が開口された生成容器に入れ、上記２つの物質の化学反応により二酸化塩素ガスを生成する技術が開示されている。
【先行技術文献】
【特許文献】
【０００３】
【特許文献１】特開２０１０−２０７５３９号公報
【特許文献２】特開２０１１−０６７２８５号公報
【発明の概要】
【発明が解決しようとする課題】
【０００４】
二酸化塩素は、その分子量が空気の分子量よりも大きいため、単に発生させるだけでは、生成場所の近傍に留まり、拡散されない。そこで、発生した二酸化塩素ガスを拡散させるための拡散装置が必要であると考えられる。よって、例えば、二酸化塩素ガスを生成する物質を含み、上部が開口した生成容器と、生成容器から生成され、開口から流出したガスを拡散させる拡散装置を備える二酸化塩素ガス発生装置を製作することが考えられる。当該二酸化塩素ガス発生装置であれば、除染対象空間内に設置して除染対象空間内に二酸化塩素を拡散させ、除染対象空間を除染することができるものと考えられる。
【０００５】
しかしながら、拡散装置が故障等により動作しない場合、生成された二酸化塩素ガスは、除染対象空間内に拡散しない。すなわち、生成容器内で生成された二酸化塩素ガスは、容器上部の開口から流出するが、除染対象空間内に拡散されずに生成容器の外表面を伝って流れ落ちる。すなわち、生成容器の表面は、高濃度の二酸化塩素ガスが通過することとなる。
【０００６】
ここで、二酸化塩素ガス発生装置又は筐体の表面に装置のスイッチ類等の制御部材が設けられている場合、装置表面を伝って流れ落ちる二酸化塩素ガスによって、当該スイッチ類等の制御部材が腐食される虞がある。
【０００７】
また、生成容器の下に生成容器を加熱するための加熱装置等の部品が設けられている場合、容器表面を伝って流れ落ちた二酸化塩素ガスが、当該加熱装置等の部品の表面に当たり、当該部品を腐食させる虞がある。
【０００８】
そこで、本願は、生成容器内において生成され、容器の開口から流出した二酸化塩素ガスが拡散されない場合であっても、二酸化塩素ガスによる腐食の影響を抑制することのできる技術を提供することを課題とする。
【課題を解決するための手段】
【０００９】
上記課題を解決するため、本発明は、二酸化塩素ガス発生装置の下部に操作部材を設け
ることとした。
【００１０】
詳細には、本発明は、上部が開口し、二酸化塩素ガスが生成される生成容器と、生成容器を加熱する加熱装置と、上面に孔を有し、加熱装置を収容する筐体と、筐体の外側の下面に設けられ、加熱装置の動作設定のために操作される操作部材と、を備え、生成容器は、筐体の上面に設けられる孔に通された状態で筐体に固定される、二酸化塩素ガス発生装置である。
【００１１】
このような二酸化塩素ガス発生装置であれば、加熱装置によって生成容器を加熱し、二酸化塩素ガスの発生を促進させることができる。また、生成容器内で発生した二酸化塩素ガスは、生成容器の開口から流出する。ここで、生成容器は、筐体の上面に設けられる孔に通された状態で筐体に固定されている。すなわち、生成容器は、筐体より外側に開口されている。よって、二酸化塩素ガスは、筐体の外部へ流出することとなり、筐体に収容される加熱装置が二酸化塩素ガスによって腐食されることは抑制される。
【００１２】
また、筐体の外部へ流出した二酸化塩素ガスが拡散されない場合、二酸化塩素ガスは、筐体の上面近傍を通り、筐体の側面を伝って流れ落ちる。ここで、加熱装置の動作設定のために操作される操作部材は、筐体の外側の下面に設けられる。よって、操作部材が二酸化塩素ガスによって腐食されることは抑制される。
【００１３】
また、生成容器は、生成容器の下部が孔へ差し込まれることによって筐体に固定されてもよい。
【００１４】
このような二酸化塩素ガス発生装置であれば、生成容器は筐体へ簡易に固定される。また、生成容器の表面に二酸化塩素等の溶液や固体が付着した場合であっても、生成容器を筐体から取り外し、生成容器の表面から二酸化塩素等の溶液や固体を容易に拭き取ることができる。
【００１５】
また、二酸化塩素ガス発生装置の高さは、２５０ｍｍ以下であってもよい。
【００１６】
このような二酸化塩素ガス発生装置であれば、除染対象空間が上下方向に動く遮断部材によって遮断されている場合、二酸化塩素ガス発生装置を除染対象空間に入れる際に、遮断部材を開ける度合は少なく済まされる。よって、除染対象空間に存在する病原体が系外に流出する虞は低減される。
【００１７】
また、二酸化塩素ガス発生装置は、生成容器の開口のさらに上部に着脱可能なファンフィルタユニットを備えてもよい。
【００１８】
このような二酸化塩素ガス発生装置であれば、生成容器の開口から流出した二酸化塩素ガスのうち、ミスト状の二酸化塩素をフィルタによって除去することが可能となる。そして、フィルタを通過した二酸化塩素ガスをファンによって、除染対象空間内に拡散させることができる。すなわち、除染対象空間の除染は万遍なく行われる。
【００１９】
また、除染対象空間に二酸化塩素ガスを拡散させる拡散手段が設けられている場合は、ファンフィルタユニットを装置から脱着させ、二酸化塩素ガス発生装置の高さが抑制された状態で、二酸化塩素ガス発生装置は使用される。よって、除染対象空間が上下方向に動くシャッターによって系外の空間と遮断されている場合、二酸化塩素ガス発生装置が除染対象空間に入れられる際の、シャッターを開ける度合は少なく済まされる。よって、除染対象空間に存在する病原体が系外に流出する虞は低減される。
【００２０】
また、生成容器が筐体の上面に設けられる孔に通され、筐体に固定された状態において、生成容器と筐体の上面に設けられる孔との隙間は、２ｍｍ以下であってもよい。
【００２１】
このような二酸化塩素ガス発生装置であれば、生成容器の開口から流出した二酸化塩素ガスが、生成容器と筐体の上面に設けられる孔との隙間から筐体の内部へ流入することは抑制される。よって、筐体の内部に設けられる加熱装置が二酸化塩素ガスによって腐食されることは抑制される。
【００２２】
また、操作部材は、加熱装置の停止まで時間を計測し、加熱装置の停止までの時間が経過した場合に、加熱装置を停止させるタイマーを備えてもよい。
【００２３】
このような二酸化塩素ガス発生装置であれば、上下方向に動くシャッターによって系外の空間と遮断されている除染対象空間に、二酸化塩素ガス発生装置を搬入して使用する場合、加熱装置は、二酸化塩素ガス発生装置が除染対象空間に設置されて使用されている状態で、自動的に停止される。すなわち、二酸化塩素ガス発生装置を使用するユーザが、除染対象空間から二酸化塩素ガス発生装置を取り出して、加熱装置を停止させなくともよい。このような二酸化塩素ガス発生装置は、利便性の高い装置である。
【００２４】
また、操作部材は、加熱装置の起動までの時間を計測し、加熱装置の起動までの時間が経過した場合に、加熱装置を起動させるタイマーをさらに備えてもよい。
【００２５】
このような二酸化塩素ガス発生装置であれば、上下方向に動くシャッターによって系外の空間と遮断されている除染対象空間に、二酸化塩素ガス発生装置を搬入して使用する場合、二酸化塩素ガス発生装置が除染対象空間に設置され、シャッターを下げて系外の空間と遮断した後に加熱装置が起動され、二酸化塩素の生成反応は促進される。このような二酸化塩素ガス発生装置は、利便性の高い装置である。
【００２６】
また、二酸化塩素ガス発生装置は、筐体の内部に気密された空間をさらに備えてもよい。
【００２７】
このような二酸化塩素ガス発生装置であれば、気密された空間に部品を設置する場合、筐体の内部に二酸化塩素ガスが流入した場合であっても、当該部品が二酸化塩素ガスによって腐食される虞は低減される。
【００２８】
また、筐体の上面を含む部分は、蓋であってもよい。このような二酸化塩素ガス発生装置であれば、蓋が外され、筐体の内部は掃除可能である。すなわち、筐体の内部に二酸化塩素等の溶液や固体が付着した場合であっても、二酸化塩素を拭き取ることができ、筐体の内部が付着物によって腐食することは抑制される。
【００２９】
また、本発明は、方法の側面から捉えることもできる。すなわち、例えば、上部が開口した生成容器において二酸化塩素ガスが生成される生成ステップと、加熱装置が生成容器を加熱する加熱ステップと、上面に孔を有し、加熱装置を収容する筐体の外側の下面に設けられる操作部材が、加熱装置の動作設定のために操作される操作ステップと、を備え、生成容器は、筐体の上面に設けられる孔に通された状態で筐体に固定される、二酸化塩素ガス発生方法であってもよい。
【発明の効果】
【００３０】
上記の二酸化塩素ガス発生装置及び二酸化塩素ガス発生方法は、生成容器内において生成され、容器の開口から流出した二酸化塩素ガスが拡散されない場合であっても、二酸化塩素ガスによる腐食の影響を抑制することのできる技術を提供することができる。
【図面の簡単な説明】
【００３１】
【図１】図１は、本実施形態に係る二酸化塩素ガス発生装置の概要の一例を示している。
【図２】図２は、系外の空間と遮断される空間を備えるキャビネットの概要の一例を示している。
【図３】図３は、二酸化塩素ガス発生装置をキャビネット内の除染対象空間へ設置し、除染を実施する一例を示している。
【図４】図４は、除染対象空間を二酸化塩素ガス発生装置によって除染する際のフローチャートの一例を示す。
【図５】図５は、上記の二酸化塩素ガス発生装置の使用中に、ファンフィルタユニットが想定外に停止した場合の概要の一例を示している。
【図６】図６は、ファンフィルタユニットが本体部から脱着されて二酸化塩素ガス発生装置が使用される一例を示している。
【発明を実施するための形態】
【００３２】
以下、本発明の実施形態について説明する。以下に示す実施形態は、本発明の実施形態の一例であり、本発明の技術的範囲を以下の態様に限定するものではない。
【００３３】
＜装置構成＞
図１は、本実施形態に係る二酸化塩素ガス発生装置１００の概要の一例を示している。二酸化塩素ガス発生装置１００は、円筒状の生成容器１を備える。生成容器１は、上部に開口２を備える。生成容器１の外径は、７８ｍｍであり、ステンレス製である。また、生成容器１は、容器の内部に例えば亜塩素酸ナトリウム溶液と、リンゴ酸粉末を溶解した酸性液を含む。二酸化塩素ガスは、下記のように亜塩素酸ナトリウムとリンゴ酸との化学反応によって発生する。
【００３４】
４ＮａＣｌＯ２＋４ＨＯＯＣ−ＣＨ（ＯＨ）−ＣＨ２−ＣＯＯＨ＋Ｏ２→４ＮａＯＯＣ−ＣＨ（ＯＨ）−ＣＨ２−ＣＯＯＨ＋４ＣｌＯ２＋２Ｈ２Ｏ
【００３５】
また、二酸化塩素ガス発生装置１００は、筐体３を備える。筐体３は、ステンレス製であり、上部に蓋４を備える。蓋４は、筐体３から取り外し可能である。また、蓋４には円形の孔５が設けられている。孔５の内径は、８０ｍｍである。そして、円筒状の生成容器１は、容器の下部が孔５に差し込まれた状態で、筐体３に固定される。生成容器１が筐体３に固定された際、筐体３の外側の下面から生成容器１の開口２までの高さは、２００ｍｍである。
【００３６】
また、筐体３には、加熱装置６が収容される。加熱装置６は、生成容器１が筐体３の孔５に差し込まれて固定される際に、生成容器１の下部と接する位置に設けられる。そして、加熱装置６は、生成容器１を加熱することにより、亜塩素酸ナトリウムとリンゴ酸との化学反応による二酸化塩素ガスの発生を促進させる。
【００３７】
また、筐体３は、筐体３の内部であって、加熱装置６が設けられる場所のさらに下部に、気密された気密空間７を備える。気密空間７には、タイマー（後述する）や二酸化塩素ガス発生装置１００の動作に必要な電子部品（図示しない）などが設けられている。
【００３８】
また、筐体３の外側の側面には、二酸化塩素ガス発生装置１００の装置自体の電源スイッチ８と、二酸化塩素ガス発生装置１００の起動ボタン９が設けられる。また、筐体３の下部には、加熱装置６の動作設定を行うことができる２つのタイマー１０、１１を備える。タイマー１０は、本体が直方体であり、本体は気密空間７に収容される。そして、その
先端に円形の取手を備え、取手が筐体３の外側の下部に位置される。タイマー１０は、加熱装置６の起動までの時間を計測し、加熱装置６の起動までの時間が経過した場合に、加熱装置６を起動させる。加熱装置６の起動までの時間は、取手が回転されることによって設定される。
【００３９】
また、タイマー１１もタイマー１０と同様の構造のタイマーであり、本体が直方体であり、本体は気密空間７に収容される。そして、その先端に円形の取手を備え、取手が筐体３の外側の下部にタイマー１０と並んで位置される。タイマー１１は、加熱装置６の停止までの時間を計測し、加熱装置６の停止までの時間が経過した場合に、加熱装置を停止させる。加熱装置６の停止までの時間は、取手が回転されることによって設定される。
【００４０】
また、二酸化塩素ガス発生装置１００は、生成容器１の上部にファンフィルタユニット１２を備える。ファンフィルタユニット１２は、生成容器１において生成された二酸化塩素ガスのうち、ミスト状の二酸化塩素を除去するＨＥＰＡフィルタ１３と、二酸化塩素ガスを拡散させるファン１４を備える。また、ファンフィルタユニット１２は、下部にユニットを支える４つの脚１５を備える。脚１５の下面からファンフィルタユニット１２の上面までの高さは、２００ｍｍである。そして、ファンフィルタユニット１２は、脚１５が、筐体３の蓋４に取り付けられることによって二酸化塩素ガス発生装置１００の本体部１６へ固定される。また、ファンフィルタユニット１２は、本体部１６から着脱可能である。
【００４１】
上記のような二酸化塩素ガス発生装置１００は、例えば系外の空間と遮断され、細菌やウイルスといった病原体を扱う実験が行われる空間の除染に使用される。図２は、系外の空間と遮断される空間を備えるキャビネット５０の概要の一例を示している。図２に示すようにキャビネット５０は、キャビネット前面に、上下に動くシャッター５１を備える。また、キャビネット５０は、シャッター５１によって系外の空間と遮断され、細菌やウイルスといった病原体を扱う実験を行うことのできる除染対象空間５２を備える。シャッター５１は、上へスライドさせることができ、除染対象空間５２内へ二酸化塩素ガス発生装置１００を入れることができる。
【００４２】
また、キャビネット５０は、除染対象空間５２内の空気を排気又は循環させるファン５３を備える。ファン５３から吹き出された空気は、排気口から系外へ排気されるか、あるいは除染対象空間５２へ循環される。このようなキャビネット５０の構造は、除染対象空間５２の圧力が負圧となるため、シャッター５１の一部（例えば２００ｍｍ程度）を開けた場合であっても、除染対象空間５２からシャッター５１の下部を通過して系外へ汚染空気が流出することは抑制される。
【００４３】
また、キャビネット５０は、ファン５３から吹き出され、排気口から排気される空気が通過する排気フィルタ５４と、ファン５３から吹き出され、除染対象空間５２へ循環する空気が通過する給気フィルタ５５を備える。当該二酸化塩素ガス発生装置１００は、例えば排気フィルタ５４や給気フィルタ５５を交換する際に、除染対象空間５２、排気フィルタ５４及び給気フィルタ５５を除染する目的で使用される。除染頻度は、例えば一年に数回程度である。また、再生医療の細胞実験などにキャビネット５０が使用される場合は、実験が終了するたびに二酸化塩素ガス発生装置１００による除染が行われる。
【００４４】
＜使用例１＞
図３は、二酸化塩素ガス発生装置１００をキャビネット５０内の除染対象空間５２へ設置し、除染対象空間５２、排気フィルタ５４及び給気フィルタ５５を除染する一例を示している。また、図４は、除染対象空間５２を二酸化塩素ガス発生装置１００によって除染する際のフローチャートの一例を示す。フローチャートの詳細は、下記の通りである。
【００４５】
（ステップＳ１０１）
シャッター５１が開けられる。そして、二酸化塩素ガス発生装置１００は、除染対象空間５２内の所定の位置に置かれる。この際、二酸化塩素ガス発生装置１００の筐体３の外側の下部に設けられたタイマー１０及び１１の取手は、予め所定の角度に回転させられ、加熱装置６の起動開始までの時間の設定と、加熱装置６の停止までの時間の設定がなされている。
【００４６】
二酸化塩素ガス発生装置１００は、除染対象空間５２内の所定の位置に置かれた後、電源スイッチ８がＯＮにされ、起動ボタン９が押される。起動ボタン９が押されると、ファンフィルタユニット１２が動作する。そして、シャッター５１は閉められ、除染対象空間５２と系外の空間とは遮断される。
【００４７】
（ステップＳ１０２）
所定時間が経過すると、タイマー１０によって加熱装置６の起動が開始される。そして、生成容器１内の亜塩素酸ナトリウムとリンゴ酸との化学反応が促進され、二酸化塩素ガスが生成される。生成された二酸化塩素ガスは、生成容器１の上部に設けられた開口２から流出する。そして、二酸化塩素ガスは、開口２のさらに上部に位置するファンフィルタユニット１２へ吸い込まれる。
【００４８】
ファンフィルタユニット１２内において二酸化塩素ガスは、ＨＥＰＡフィルタ１３を通過する。ＨＥＰＡフィルタ１３を通過する際、ミスト状の二酸化塩素は、除去される。その後、二酸化塩素ガスは、ファン１４によって、除染対象空間５２内へ拡散される。
【００４９】
（ステップＳ１０３）
タイマー１１によって設定された加熱装置６の停止までの時間が経過すると、タイマー１１によって加熱装置６の運転は停止される。その後、二酸化塩素ガスを分解した後、シャッター５１は上方向にスライドさせられ、二酸化塩素ガス発生装置１００は取り出される。その後、生成容器１内の混合溶液を廃棄し、生成容器１の表面に二酸化塩素等の溶液や固体が付着している場合、生成容器１は筐体３から外され、二酸化塩素は拭き取られる。また、筐体３の内部に二酸化塩素等の溶液や固体が付着している場合、筐体３の蓋４は外され、筐体３の内部に付着した二酸化塩素等の溶液や固体は拭き取られる。
【００５０】
また、図５は、上記の二酸化塩素ガス発生装置１００の使用中に、ファンフィルタユニット１２が想定外に停止した場合の概要の一例を示している。ファンフィルタユニット１２が停止した場合、生成容器１の開口２から流出した二酸化塩素ガスは、ファンフィルタユニット１２へ吸い込まれない。二酸化塩素ガスは、蓋４の表面を通過し、筐体３の側面を伝って下部へ流れ落ちることとなる。
【００５１】
＜使用例２＞
図６は、ファンフィルタユニット１２が本体部１６から脱着されて二酸化塩素ガス発生装置１００が使用される例を示している。図６に示すように、二酸化塩素ガス発生装置１００は、ファンフィルタユニット１２を外した状態でキャビネット５０内の除染対象空間５２へ入れられる。二酸化塩素ガス発生装置１００が、ファンフィルタユニット１２が外されて使用される場合、ファン５３を常に運転する。すなわち、生成容器１の上部の開口２から流出した二酸化塩素ミストは、除染対象空間５２内の表面に付着し、二酸化塩素ガスは、キャビネット５０に設けられるファン５３によって、除染対象空間５２内に拡散させられる。
【００５２】
＜作用・効果＞
上記のような二酸化塩素ガス発生装置１００であれば、加熱装置６によって生成容器１は加熱され、二酸化塩素ガスの発生を促進させることができる。また、生成容器１の内部で発生した二酸化塩素ガスは、生成容器１の開口２から流出する。
【００５３】
また、生成容器１の開口２の上部には、ファンフィルタユニット１２が設けられ、ファンフィルタユニット１２は、開口２から流出した二酸化塩素ガスを吸込み、ミスト状の二酸化塩素はＨＥＰＡフィルタ１３によって除去される。よって、二酸化塩素ガスをファン１４によって、除染対象空間５２内に拡散させることができるため、除染対象空間５２の除染は万遍なく行われる。
【００５４】
また、図５に示すように、二酸化塩素ガス発生装置１００の使用中に、ファンフィルタユニット１２が想定外に停止した場合、開口２から流出した二酸化塩素ガスは、ファンフィルタユニット１２に吸込まれず、ファン１４によって拡散されない。開口２から流出した二酸化塩素ガスは、蓋４の表面を通過し、筐体３の側面を伝って流れ落ちる。そして、筐体３の側面下部に到達した二酸化塩素は、そのままさらに下方に流れ落ちる。
【００５５】
しかしながら、本実施形態に係る二酸化塩素ガス発生装置１００では、加熱装置６の起動開始までの時間を設定することができるタイマー１０の取手、及び加熱装置６の停止までの時間を設定することができるタイマー１１の取手は、筐体３の外側の下面に設けられている。すなわち、二酸化塩素ガスがタイマー１０の取手及びタイマー１１の取手が設けられている場所まで回り込む虞は少なく、タイマー１０の取手及びタイマー１１の取手が、二酸化塩素によって腐食されることは抑制される。
【００５６】
また、二酸化塩素ガス発生装置１００では、装置の起動、停止に必要な電源スイッチ８や起動ボタン９が、装置の使用者が容易に触れることのできる装置の側面に設けられている。一方、二酸化塩素ガス発生装置１００の起動、停止には関連のない、タイマー１０の取手及びタイマー１１の取手は、筐体３の外側の下面に設けられている。すなわち、二酸化塩素ガス発生装置１００は、装置の起動、停止のための必要最低限度の部品が装置の側面に設けられ、残りの部品は装置の外部の下面に設けられている。よって、ファンフィルタユニット１２のファン１４が想定外に停止し、二酸化塩素ガスが筐体３の側面を伝って流れ落ちる場合に、二酸化塩素ガスの気流が当たる部品は電源スイッチ８及び起動ボタン９であり、筐体３の外側の下面に設けられているタイマー１０の取手及びタイマー１１の取手には、二酸化塩素ガスの気流が当たることは低減される。すなわち、二酸化塩素ガス発生装置１００は、二酸化塩素による腐食の影響を最低限に止める構造である。
【００５７】
また、ファンフィルタユニット１２が想定外に停止し、二酸化塩素ガスが開口２から流出した場合、生成容器１と孔５との隙間は２ｍｍ以下であるため、生成容器１と孔５との隙間から二酸化塩素ガス発生装置１００の内部に二酸化塩素ガスが流入することは抑制される。よって、筐体３の内部に設けられる加熱装置６等の部品が二酸化塩素ガスによって腐食されることは抑制される。
【００５８】
また、二酸化塩素ガス発生装置１００は、内部に気密空間７を備え、気密空間７には、タイマー１０及び１１の本体部や、二酸化塩素ガス発生装置１００の動作に必要な電子部品等が設置されている。よって、筐体３の内部に二酸化塩素ガスが流入した場合であっても、気密空間７に設置されたタイマーや当該部品等が、二酸化塩素ガスによって腐食される虞は低減される。すなわち、二酸化塩素ガス発生装置の動作に影響が及ぶ虞は低減される。
【００５９】
また、タイマー１０は、円形の取手が所定の角度に回転させられ、加熱装置６の起動開始までの時間は、所望の時間に設定される。よって、キャビネット５０の除染対象空間５
２へ二酸化塩素ガス発生装置１００が設置された後に、加熱装置６は起動され、二酸化塩素ガスの発生は促進される。このような二酸化塩素ガス発生装置１００は、利便性の高い装置である。
【００６０】
また、タイマー１１も、円形の取手が所定の角度に回転させられ、加熱装置６の停止までの時間は、所望の時間に設定される。そして、加熱装置６は、二酸化塩素ガスの生成が終了した後に、自動的に停止される。よって、二酸化塩素ガス発生装置１００を使用するユーザが、除染対象空間５２から二酸化塩素ガス発生装置１００を取り出して加熱装置を停止させなくともよい。このような二酸化塩素ガス発生装置１００は、利便性の高い装置である。
【００６１】
また、生成容器１は、蓋４の孔５へ差し込まれることによって簡易に固定することができる。また、生成容器１は、蓋４から取り外すことができる。よって、生成容器１の表面に二酸化塩素等の溶液や固体が付着している場合であっても、生成容器１の表面から二酸化塩素等の溶液や固体を容易に拭き取ることができ、生成容器１の表面に二酸化塩素等の溶液や固体が蓄積することは、抑制される。
【００６２】
また、上記の二酸化塩素ガス発生装置１００の筐体３の上面は、蓋４により形成されている。よって、蓋４は開けられ、筐体３の内部は掃除可能である。すなわち、筐体３の内部に二酸化塩素等の溶液や固体が付着している場合であっても、二酸化塩素等の溶液や固体を拭き取ることができ、筐体３の内部に二酸化塩素等の溶液や固体が蓄積して筐体内部が腐食することは抑制される。
【００６３】
また、使用例２のように、キャビネット５０に設けられるファン５３を常に運転して、二酸化塩素ガス発生装置１００からファンフィルタユニット１２が脱着された状態で、二酸化塩素ガス発生装置１００は、使用可能である。よって、ファンフィルタユニット１２が二酸化塩素ガス発生装置１００に装着される場合よりも使用する装置の個数は抑えられる。よって、二酸化塩素ガス発生装置１００を使用するユーザが、除染対象空間５２へ装置を搬入搬出する際に、シャッター５１の規定開口を装置が通過する回数は少なく済まされる。すなわち、当該二酸化塩素ガス発生装置１００が除染対象空間５２へ搬入搬出される際に、除染対象空間５２からの病原体の流出の虞は低減される。
【００６４】
また、ファンフィルタユニット１２が脱着されて二酸化塩素ガス発生装置１００が使用される場合、二酸化塩素ガス発生装置１００の全高は、筐体３の下面から生成容器１の開口２までの高さである２００ｍｍである。すなわち、二酸化塩素ガス発生装置１００を使用するユーザが、除染対象空間５２へ装置を搬入する際に、シャッター５１を２００ｍｍ程度、上へ開ければ良いということである。すなわち、当該二酸化塩素ガス発生装置１００が除染対象空間５２へ搬入される際に、除染対象空間５２からの病原体の流出のリスクは低減される。
【００６５】
また、上記の二酸化塩素ガス発生装置１００の下部には、タイマー１０を設けず、起動ボタン９が押される場合に加熱装置６が起動される仕様であってもよい。このような二酸化塩素ガス発生装置であれば、装置にかかる費用を節減することができる。
【００６６】
また、上記の二酸化塩素ガス発生装置１００は、電源スイッチ８と起動ボタン９を備えるが、電源スイッチ８と起動ボタン９を１つの電源スイッチにまとめてもよい。当該１つにまとめられた電源スイッチには、電源スイッチ８の機能に加え、起動ボタン９が有するファンフィルタユニット１２を起動させる機能が備わる。
【００６７】
また、二酸化塩素ガス発生装置１００は、筐体３の外側の下面から生成容器１の開口２
までの高さが、２５０ｍｍ程度である装置であってもよい。このような二酸化塩素ガス発生装置１００であれば、上記の実施形態の使用例２において、除染対象空間５２へ当該装置を搬入搬出する場合に、シャッター５１は２５０ｍｍ程度上へ開けられればよいこととなる。
【００６８】
以上、本発明の好ましい実施の形態の一例を説明したが、本発明は図示の形態に限定されない。当業者であれば、特許請求の範囲に記載された思想の範疇内において、各種の変更例または修正例に想到し得ることは明らかであり、それらについても当然に本発明の技術的範囲に属するものと了解される。
【符号の説明】
【００６９】
１・・生成容器；２・・開口；３・・筐体；４・・蓋；５・・孔；６・・加熱装置；７・・気密空間；８・・電源スイッチ；９・・起動ボタン；１０、１１・・タイマー；１２・・ファンフィルタユニット；１３・・ＨＥＰＡフィルタ；１４・・ファン；１５・・脚；１６・・本体部；５０・・キャビネット；５１・・シャッター；５２・・除染対象空間；５３・・ファン；５４・・排気フィルタ；５５・・給気フィルタ；１００・・二酸化塩素ガス発生装置
【図１】
2019178017.tif 000003
【図２】
2019178017.tif 000004
【図３】
2019178017.tif 000005
【図４】
2019178017.tif 000006
【図５】
2019178017.tif 000007
【図６】
2019178017.tif 000008